(57)【要約】【課題】  装置に要求される最悪環境下で必要な空冷風量を確保し、かつ平均的な環境温度下で過剰な風量とならない空冷を実施可能な空冷通信装置を得る。【解決手段】  内部を強制空冷する空冷通信装置において、強制空冷に使用する風を装置内部へ送出するＦＡＮ部と、ＦＡＮ部の空気温度を観測し、温度情報として出力する温度検出部と、前記温度情報と予め設定された目標温度とを比較し、比較結果に基づいて前記ＦＡＮ部の風の送出状態を制御するＦＡＮ制御部とを備える。【選択図】          図１
2012253066.tif 000002
【特許請求の範囲】
【請求項１】
内部を強制空冷する空冷通信装置において、
前記強制空冷に使用する風を当該装置内部へ送出するＦＡＮ部、
このＦＡＮ部の空気温度を観測し、温度情報として出力する温度検出部、
前記温度情報と予め設定された目標温度とを比較し、比較結果に基づいて前記ＦＡＮ部の風の送出状態を制御するＦＡＮ制御部
を備える空冷通信装置。
【請求項２】
前記ＦＡＮ制御部は複数の目標温度を有し、前記温度情報が各目標温度を超える度に、前記ＦＡＮ部の風の送出状態を風量が増えるように段階的に制御すること
を特徴とする請求項１に記載の空冷通信装置。
【請求項３】
複数の前記ＦＡＮ部と、各ＦＡＮ部それぞれに対応する複数の前記温度検出部を備え、
前記ＦＡＮ制御部は、前記各温度検出部から得られた複数の温度情報と予め設定された目標温度とを比較し、比較結果に基づいて前記各ＦＡＮ部の風の送出状態を一律に制御すること
を特徴とする請求項１または２に記載の空冷通信装置。
【請求項４】
前記目標温度は、当該空冷通信装置の外部より設定可能なこと
を特徴とする請求項１乃至３のいずれかに記載の空冷通信装置。
【発明の詳細な説明】
【技術分野】
【０００１】
本発明は、強制空冷方式を用いた通信装置に関する。
【背景技術】
【０００２】
通信装置においては、処理能力の大容量化および高密度実装化により、単位面積当たりの消費電力が増大することで装置内部の温度上昇が顕著となっている。このため、周囲環境温度によらず使用部品の信頼性を確保するために、自然空冷方式から強制空冷方式へと移行している。
【０００３】
強制空冷方式を採用することで、単位面積当たりの許容消費電力を高めることができるため、高密度実装が可能となり、処理能力あたりの省スペース化が進んでいる。
【０００４】
そして、このような従来の強制空冷方式を用いた装置では、装置に要求される周囲温度条件下において、常に正常動作が可能な内部温度以下となるように空冷風量を算出し、実際の周囲温度に関わらず、常時算出された空冷風量を確保するようにＦＡＮを回転するようにしていた（例えば、特許文献１）。
【先行技術文献】
【特許文献】
【０００５】
【特許文献１】特開平１０−１５８５５９
【発明の概要】
【発明が解決しようとする課題】
【０００６】
上記のように、従来の強制空冷方式の装置では、実際の周囲温度に関わらず予め算出した最悪環境下で必要な空冷風量を常時確保するようにＦＡＮを回転させており、平均的な環境温度下では過剰な風量での空冷を実施しているという問題点があった。
【課題を解決するための手段】
【０００７】
本発明は、上記の課題を解決するためになされたものであり、本発明の空冷通信装置は、内部を強制空冷する装置であって、前記強制空冷に使用する風を当該装置内部へ送出するＦＡＮ部と、このＦＡＮ部の空気温度を観測し、温度情報として出力する温度検出部と、前記温度情報と予め設定された目標温度とを比較し、比較結果に基づいて前記ＦＡＮ部の風の送出状態を制御するＦＡＮ制御部とを備える。
【発明の効果】
【０００８】
本発明によれば、ＦＡＮ部の風の送出状態を制御することで、装置内部温度を一定とし、安定動作を図ることが可能となる。また、ＦＡＮ部の空気温度を観測し周囲温度変化に対応した風の送出状態に制御することで、ＦＡＮの無駄な動作を防止することが可能となり、低消費電力化、低騒音化を実現する。
【図面の簡単な説明】
【０００９】
【図１】本発明の実施の形態１にかかる空冷通信装置のブロック図である。
【図２】本発明の実施の形態２にかかる空冷通信装置のブロック図である。
【発明を実施するための形態】
【００１０】
実施の形態１．
図１は、本発明の実施の形態１の空冷通信装置の構成図である。図において、空冷通信装置である通信装置１は、第１系統から第ｎ＋１系統までのＦＡＮ部２−１〜２−ｎ＋１、このＦＡＮ部を構成する第１系統から第ｎ＋１系統までのＦＡＮ３−１〜３−ｎ＋１、第１系統から第ｎ＋１系統までの温度検出部４−１〜４−ｎ＋１、第１系統から第ｎ＋１系統までの回転数制御部（ＦＡＮ制御部）５−１〜５−ｎ＋１を含み構成される。
【００１１】
ＦＡＮ３−１〜３−ｎ＋１は、通信装置１内に風速を与えるために風を送出する。温度検出部４−１〜４−ｎ＋１は、それぞれ同系統の前記ＦＡＮ３−１〜３−ｎ＋１内を通過する空気温度を検出し数値化する。回転数制御部５−１〜５−ｎ＋１は、予め設定された目標温度を有し、それぞれ同系統の前記温度検出部４−１〜４−ｎ＋１より得られた空気温度情報と前記目標温度に基づいて、同系統の前記ＦＡＮ３−１〜３−ｎ＋１の回転数を制御する。
【００１２】
ＦＡＮ部２−１〜２−ｎ＋１は、それぞれ同系統のＦＡＮ３−１〜３−ｎ＋１、温度検出部４−１〜４−ｎ＋１、回転数制御部５−１〜５−ｎ＋１により構成され、通信装置１を強制空冷する機能を有する。本通信装置１においては、ｎ＋１（ｎは正の整数）個で構成され、一つのＦＡＮ部が故障した場合でも、規定周囲温度内での運用に耐えられるよう、通信装置１内の温度上昇を抑えることの可能な使用数及び最大回転数が規定される。
【００１３】
次に動作を説明する。第１系統のＦＡＮ部２−１において、温度検出部４−１がＦＡＮ部２−１内の空気温度（例えば、ＦＡＮ３−１を通過する空気温度）を観測し、得られた空気温度情報を回転数制御部５−１へ転送する。回転数制御部５−１は、温度検出部４−１より転送されてきた空気温度情報と予め設定された目標温度とを比較演算し、設定された目標温度となるようにＦＡＮ３−１に対して回転数制御情報を送出し回転数を制御する。尚、回転数制御部５−１の回転数制御方法としては、予め設定された目標温度となるように連続的に回転数制御を実施する方法、若しくは、目標温度を１つまたは複数個有し、各目標温度を超える度に回転数を段階的に上げていくステップ式の制御方法などが実施可能である。
【００１４】
当該制御により、ＦＡＮ３−１の最大回転数が必要となる状態は、ＦＡＮ部２−１以外の一つのＦＡＮ部が故障し、かつ通信装置１の周囲温度が規定された最大周囲温度となった場合のみとなる。前述の最悪環境以外の場合には、ＦＡＮ３−１の回転数が過剰にならないような最適制御を行うことで、低消費電力化、低騒音化が可能となる。
【００１５】
第２系統から第ｎ＋１系統までの各ＦＡＮ部２−２〜２−ｎ＋１では、それぞれ独立して、前述の第１系統のＦＡＮ部２−１と同様の制御を実行する。
【００１６】
尚、各系統の目標温度については、外部より設定変更可能な構成とすることにより、使用環境に合わせた運用形態をとることが可能となる。
【００１７】
実施の形態２．
図２は、本発明の実施の形態１の空冷通信装置の構成図である。図において、空冷通信装置である通信装置１は、第１系統から第ｎ＋１系統までのＦＡＮ部２−１〜２−ｎ＋１、このＦＡＮ部を構成する第１系統から第ｎ＋１系統までのＦＡＮ３−１〜３−ｎ＋１、第１系統から第ｎ＋１系統までの温度検出部４−１〜４−ｎ＋１、第１系統から第ｎ＋１系統までの回転数制御部（ＦＡＮ制御部）６を含み構成される。
【００１８】
ＦＡＮ３−１〜３−ｎ＋１は、通信装置１内に風速を与えるために風を送出する。温度検出部４−１〜４−ｎ＋１は、それぞれ同系統の前記ＦＡＮ３−１〜３−ｎ＋１内を通過する空気温度を検出し数値化する。回転数制御部６は、予め設定された目標温度を有し、前記温度検出部４−１〜４−ｎ＋１より得られた空気温度情報と前記目標温度に基づいて、前記ＦＡＮ３−１〜３−ｎ＋１の回転数を制御する。
【００１９】
ＦＡＮ部２−１〜２−ｎ＋１は、それぞれ同系統のＦＡＮ３−１〜３−ｎ＋１、温度検出部４−１〜４−ｎ＋１により構成され、通信装置１を強制空冷する機能を有する。本通信装置１においては、ｎ＋１（ｎは正の整数）個で構成され、一つのＦＡＮ部が故障した場合でも、規定周囲温度内での運用に耐えられるよう、通信装置１内の温度上昇を抑えることの可能な使用数及び最大回転数が規定される。
【００２０】
次に動作を説明する。各ＦＡＮ部２−１〜２−ｎ＋１において、温度検出部４−１〜４−ｎ＋１それぞれが、同系統のＦＡＮ部２−１〜２−ｎ＋１内の空気温度（例えば、同系統のＦＡＮを通過する空気温度）を観測し、得られた空気温度情報を回転数制御部６へ転送する。回転数制御部６は、温度検出部４−１〜４−ｎ＋１より転送されてきた空気温度情報と予め設定された目標温度とを比較演算し、設定された目標温度となるように各ＦＡＮ３−１〜３−ｎ＋１に対して回転数制御情報を送出し回転数を制御する。
【００２１】
尚、回転数制御部６の回転数制御方法としては、各系統のＦＡＮ毎に目標温度となるように回転数を制御する方法と、各系統全ての空気温度情報が目標温度以下となるように、同一回転数を全てのＦＡＮ３−１〜３−１ｎ＋１に設定する方法がある。また、予め設定された目標温度となるように連続的に回転数制御を実施する方法、若しくは、目標温度を１つまたは複数個有し、各目標温度を超える度に回転数を段階的に上げていくステップ式の制御方法などが実施可能である。
【００２２】
当該制御により、全てのＦＡＮ３−１〜３−ｎ＋１の最大回転数が必要となる状態は、ＦＡＮ部２−１〜２−ｎ＋１のいずれか一つのＦＡＮ部が故障し、かつ通信装置１の周囲温度が規定された最大周囲温度となった場合のみとなる。前述の最悪環境以外の場合には、ＦＡＮ３−１〜３−ｎ＋１の回転数が過剰にならないような最適制御を行うことで、低消費電力化、低騒音化が可能となる。
【００２３】
尚、各系統の目標温度については、外部より設定変更可能な構成とすることにより、使用環境に合わせた運用形態をとることが可能となる。
【符号の説明】
【００２４】
１  通信装置、
２−１〜２−ｎ＋１  ＦＡＮ部、
３−１〜３−ｎ＋１  ＦＡＮ、
４−１〜４−ｎ＋１  温度検出部
５−１〜５−ｎ＋１  回転数制御部（ＦＡＮ制御部）
６  回転数制御部（ＦＡＮ制御部）
【図１】
2012253066.tif 000003
【図２】
2012253066.tif 000004